(57)【特許請求の範囲】
【請求項１】
換気機能を果たす換気送風部と循環機能を果たす循環送風部とからなり、全体が天井裏の空間等に固定される送風装置であって、
前記換気送風部を、送風機を有する本体構造と、当該本体構造を収める、上側の開放したコ状の外殻構造とにより構成し、
前記循環送風部を、送風機を有する本体構造と、当該本体構造を収める、開放部分を下方に向けた固定枠体とにより構成し、
前記換気送風部の本体構造を、モーター及びファンケーシングとともにファンベースに支持させた構成とし、
前記外殻構造の内側に前記ファンベースの一端縁をスライド可能に支持する第１の支持部材と、前記ファンケーシングの下端をスライド可能に受け支持する第２の支持部材とを対角状に設け、
前記第１の支持部材及び前記第２の支持部材によって前記換気送風部の本体構造を前記外殻構造に対して室内側から略水平方向への挿抜によって着脱できるようにし、
前記循環送風部の本体構造を、開放部分を下方に向けた前記固定枠体に対して前記開放部分から略垂直方向への挿抜によって室内側から着脱できるようにした送風装置。
【請求項２】
請求項１に記載の送風装置であって、
循環送風部の本体構造に循環気流を昇温する加熱手段を組込むとともに、その一部を不燃材料で構成し、
固定枠体についても不燃材料で構成し、
前記本体構造の前記固定枠体への装着によって前記循環送風部の不燃材料による外殻が構成されるようにした送風装置。
【請求項３】
請求項１に記載の送風装置であって、
循環送風部の本体構造に循環気流を昇温する加熱手段を組込むとともに、本体構造を不燃材料で構成し、
固定枠体についてはプラスチックで構成した送風装置。
【請求項４】
請求項２又は請求項３のいずれかに記載の送風装置であって、
循環送風部の本体構造を、同一平面上に並ぶ二機の送風機と、これらの各送風機に対応して設けた二つの加熱手段によって構成した送風装置。
【請求項５】
請求項２又は請求項３のいずれかに記載の送風装置であって、
循環送風部の本体構造に送風機の吹出側の風路を構成する風路構造部材を設け、この風路構造部材に水密構造部を構成して、
この水密構造部に加熱手段の充電部を収めた送風装置。
【請求項６】
請求項１〜請求項５のいずれかに記載の送風装置であって、
循環送風部の固定枠体に高さ調節の可能な吊金具を設け、
この吊金具によって固定枠を設置構造に吊固定した送風装置。
【請求項７】
請求項１〜請求項６のいずれかに記載の送風装置であって、
換気送風部の送風機のモーターをファンベースにファンベースの面より下がった位置で固定した送風装置。
【発明の詳細な説明】
【０００１】
【発明の属する技術分野】
本発明は、天井裏空間等に設置され室内の換気や暖房等を行なう送風装置に関するものである。
【０００２】
【従来の技術】
住宅構造のユニット化に伴い浴室や洗面所といったサニタリーゾーンの多機能化が進んでいる。そうした中で、例えば特開昭６３―７７４９８号公報や特開平４―２４０４９５号公報に示されているように、例えば浴室の浴室としての快適性の向上を図るとともに、浴室を乾燥雰囲気にして衣類等の乾燥室としても利用できるようにした送風装置が開発されている。この種の送風装置の中には、特開平１１―６３６０７号公報に示されているように、浴室の乾燥の他、洗面所やトイレなど、多室の換気も行なうことができるものもある。
【０００３】
これらの送風装置の多くは、天井裏の空間等狭隘な場所にアンカーボルト等を使って吊固定されるため、メンテナンスをし易くするための構造上の工夫が払われている。例えば、特開平１１―６３６０７号公報に示されている送風装置では図１１に示すように、箱形のケーシング１０１に送風機１０２を組付けた枠体１０３が水平方向に抜差し可能に構成され、天井等に設けた点検口から、枠体１０３ごと送風機１０２をケーシング１０１から引抜いてメンテナンスできるようになっている。枠体１０３は、ケーシング１０１に内接する構成で、送風機１０２をケーシング１０１内において安定に支持する必要があるため、上下に摺接面をもつＨ形や、両側に摺接面をもつ矩形など、高強度の断面形状の剛構造体となっている。
【０００４】
【発明が解決しようとする課題】
上記のような従来の送風装置において、枠体１０３に送風機１０２を組付け、枠体１０３ごとケーシング１０１に横方向から挿脱できるようにしたものでは、枠体１０３がケーシング１０１に当接することにより上下方向及び横方向の移動が規制され、送風機１０２が安定状態に措かれるものであるため、枠体１０３の平面積や嵩、質量が大きくなり、メンテナンスにあたっては扱い難いといった問題点があるうえ、形状も複雑なためコストも高くつくといった問題もある。
また、室内に吸込部や吹出部が臨む送風装置では、吸込部や吹出部を開放させ、取付状態のまま高所で送風機やその他の機能部品のメンテナンスを行なわなければならず、作業し辛くメンテナンス性は良くない。
【０００５】
本発明は上記した従来の問題点を解消するためになされたもので、その課題とするところは、メンテナンスがし易く構成の簡素な送風装置を得ることであり、その送風装置の機能の向上を推し進めることである。
【０００６】
【課題を解決するための手段】
前記課題を達成するために請求項１の発明は、換気機能を果たす換気送風部と循環機能を果たす循環送風部とからなり、全体が天井裏の空間等に固定される送風装置について、その換気送風部を、送風機を有する本体構造と、当該本体構造を収める、上側の開放したコ状の外殻構造とにより構成し、循環送風部を、送風機を有する本体構造と、当該本体構造を収める、開放部分を下方に向けた固定枠体とにより構成し、換気送風部の本体構造を、モーター及びファンケーシングとともにファンベースに支持させた構成とし、外殻構造の内側に前記ファンベースの一端縁をスライド可能に支持する第１の支持部材と、ファンケーシングの下端をスライド可能に受け支持する第２の支持部材とを対角状に設け、第１の支持部材及び第２の支持部材によって換気送風部の本体構造を外殻構造に対して室内側から略水平方向への挿抜によって着脱できるようにし、循環送風部の本体構造を、開放部分を下方に向けた固定枠体に対して開放部分から略垂直方向への挿抜によって室内側から着脱できるようにする手段を採用する。
【０００７】
前記課題を達成するために請求項２の発明は、請求項１に係る前記手段における循環送風部の本体構造に循環気流を昇温する加熱手段を組込み、その一部を不燃材料で構成し、固定枠体についても不燃材料で構成し、本体構造の固定枠体への装着によって循環送風部の不燃材料による外殻が構成されるようにする手段を採用する。
【０００８】
前記課題を達成するために請求項３の発明は、請求項１に係る前記手段における循環送風部の本体構造に循環気流を昇温する加熱手段を組込み、本体構造の外殻を不燃材料で構成し、固定枠体についてはプラスチックで構成する手段を採用する。
【００１０】
前記課題を達成するために請求項４の発明は、請求項２又は請求項３のいずれかに係る前記手段における循環送風部の本体構造を、同一平面上に並ぶ二機の送風機と、これらの各送風機に対応して設けた二つの加熱手段によって構成する手段を採用する。
【００１１】
前記課題を達成するために請求項５の発明は、請求項２又は請求項３のいずれかに係る前記手段における循環送風部の本体構造に、送風機の吹出側の風路を構成する風路構造部材を設け、この風路構造部材に水密構造部を構成して、水密構造部に加熱手段の充電部を収める手段を採用する。
【００１２】
前記課題を達成するために請求項６の発明は、請求項１〜請求項５までのいずれかに係る前記手段における循環送風部の固定枠体に、高さ調節の可能な吊金具を設け、この吊金具によって固定枠を設置構造に吊固定する手段を採用する。
【００１５】
前記課題を達成するために請求項７の発明は、請求項１〜請求項６のいずれかに係る前記手段における換気送風部の送風機のモーターを、ファンベースにファンベースの面より下がった位置で固定する手段を採用する。
【００１７】
【発明の実施の形態】
実施の形態１．
図１〜図８によって示す本実施の形態は、天井裏空間等に設置して室内の換気や乾燥あるいは暖房を行なう送風装置に関するものであり、建物の主としてサニタリーゾーンにおいて機能するように構成されている。この送風装置は、図１及び図２に示すように換気機能を果たす換気送風部１と、循環機能を果たす循環送風部２とが横並びに連接した構成が採られ、全体が例えば浴室等の天井裏の空間にアンカーボルト３により吊金具４を介して吊り固定される。換気送風部１は、送風機５を主体とする本体構造６とこれを収める外殻構造７とから構成されている（図３，図４参照）。循環送風部２は、二機の送風機８，９と二個のヒーター１０，１１とを主体とする本体構造１２とこれを収める固定枠体１３とから構成されている（図２，図５参照）。
【００１８】
換気送風部１の外殻構造７は、図３に示すように上側の開放したコ状の基体部分１４と、基体部分１４の両側の開放部分に着脱可能に装着された二つの側板部分１５，１６とから構成され、全体は上面の開放した略六面体の箱形に構成されている。基体部分１４の前面には二個の吸込口１７がダクト接続可能に横並びに設けられ、背面中央には一個の吹出口１８がダクト接続可能に設けられている。基体部分１４の前面と背面の上縁には、それぞれ内向きのフランジ１９が形成され、前面のフランジ１９の下部にはこのフランジ１９と対向して内向きのチャンネル部２０を構成するアングル形の支持部材２１が固着されている。基体部分１４の背面の内側にも、吹出口１８の下縁に沿って同じ形状の支持部材２１が固着されている。側板部分１５，１６はそれぞれ、基体部分１４の両側にネジによりフランジ接合されるが、一方の側板部分１５は基体部分１４の側部を閉止するが、もう一方の側板部分１６は基体部分１４の側部の上側を閉止し、下側については吸込連絡口２２として開放する。各側板部分１５，１６の上縁には、図３に示すように、それぞれ内向きのフランジ１９が形成され、それらフランジ１９の下部にはフランジ１９と対向して内向きのチャンネル部２０を構成するアングル形の支持部材２１が固着されている。
【００１９】
換気送風部１の本体構造６は、外殻構造７の内壁面で画成される平面形状に略等しい形状寸法の剛直な平板で構成されたファンベース２３に、モーター２４及びファンケーシング２５を組付けた構成である。モーター２４は、ファンベース２３の略中央に開けられた取付孔に凹状に絞り加工された取付部品２６を介してファンベース２３の上面側に取付けられている。凹状の取付部品２６によってモーター２４のファンベース２３の上面からの突出量は小さくなっている。ファンケーシング２５はファンベース２３の下面側に固定され、下部中央に吸込口２７が、スクロールの端にファンベース２３の背面側端縁に沿う位置に吹出口２８が臨んでいる。ファンベース２３の厚みは、外殻構造７のフランジ１９と支持部材２１により構成されたチャンネル部２０に摺動可能に嵌まりうる寸法になっていて、一方の側板部分１５を外した状態でモーター２４を上にしてファンベース２３の前縁を正面側上部のチャンネル部２０に嵌め、水平に保ちながら押込むことによって、外殻構造７に本体構造６を装着することができる。
【００２０】
ファンベース２３の押込み途中で、ファンケーシング２５の吹出口２８の下部口縁が支持部材２１に受られ、チャンネル部２０と支持部材２１によって図４に示すように対角状に支持され、本体構造６を支える必要はなくなる。側板部分１６に突当るまで押込み、一側を側板部分１５で閉止すれば、換気送風部１は完結形態となる。この状態では、アァンベース２３の背後側と両側が外殻構造７のチャンネル部２０に嵌まり、ファンケーシング２５の下部が支持部材２１に受承され、本体構造６は外殻構造７内に安定状態におかれる。そして、ファンケーシング２５の吹出口２８と外殻構造７の吹出口１８とは整合し、外殻構造７の各吸込口１７と吸込連絡口２２とは外殻構造７の下部の空間を通じてファンケーシング２５の吸込口２７に連絡する。外殻構造７は循環送風部２にその吸込連絡口２２が連通するように連結される（図５参照）。この結合構造は各側板部分１５，１６のフランジ接合による取付構造と共通構造となっており、側板部分１５，１６の付換えが可能なため水平面内で１８０度回転した状態でも循環送風部２に装着することができる。なお、吸込連絡口２２にはこれを開閉するダンパー（図示しない）が備えられている。
【００２１】
循環送風部２の本体構造１２は、二機の送風機８，９とヒーター１０，１１とを組付けた投影平面形状が方形のユニットとして構成されている。二機の送風機８，９は、不燃材料で構成された上面構造２９の下面側に各吸込口を下向きにして横並びに構成されている。各送風機８，９の吹出側の風路は、図７に示すように上下二部品の接合による風路構造部材３０により独立状態に形成され、風路構造部材３０の下向きに開口した二つの開口部３１が各送風機８，９の実質的な吹出口となっている。
【００２２】
この風路構造部材３０には中央に風路とは隔壁で画成され、凹凸嵌合による接合面には耐熱性のあるシール部材３２が挟着された水密構造部３３が設けられ、この水密構造部３３に接続端子部分である充電部３４を収めた状態で各風路を横断する形態にヒーター１０，１１が装架されている。この構成により、吹出し気流を効率よく昇温させることができ、充電部３４への水の侵入もしっかりと防ぐことができる。
【００２３】
循環送風部２の固定枠体１３は、不燃材料又は難燃材料で本体構造１２が垂直方向から挿抜できる角形の枠体として構成され、浴室等の天井面に下側の開放部分が臨むように吊金具４によって天井裏の空間に垂下されたアンカーボルト３に吊固定される。固定枠体１３の一側には換気送風部１の吸込連絡口２２と連絡する連絡口３５が開設されていて、吸込連絡口２２と連絡口３５とが連通する状態に換気送風部１が横並びに連結される（図５参照）。固定枠体１３の対向する側面には図６に示すように仮止めのためのスリット３６が設けられていて、本体構造１２の両側に形成された突起３７が本体構造１２の挿入によって突入して仮止めできるようになっている。
【００２４】
本体構造１２を、吊固定した固定枠体１３に室内側からその上面構造２９を上にして垂直方向に持ち上げてスリット３６に突起３７が突入する位置まで挿入し、固定枠体１３にネジ締めし、固定枠体１３の下側の開放部に化粧パネル３８を装着することによって循環送風部２が完結形態となる。循環送風部２に連結された換気送風部１も循環送風部２の吊金具４によって支持される。.
【００２５】
この送風装置は、図８に示すように浴室等の天井裏空間に設置し、循環送風部２の吸込口と吹出口を室内に臨ませ、換気送風部１の吹出口１８をダクト３９を介して屋外へ、各吸込口１７をダクト３９を介して洗面所やトイレ等の室内へ連絡させることによって、設置場所の浴室等と他の部屋の換気が換気送風部１の運転によって行なうことができる。設置場所の浴室等については、循環送風部２の単独運転により温風による暖房を行なうことや、換気送風部１との連動により乾燥雰囲気を形成することができる。乾燥運転では循環送風部２の送風機８，９が並列に二機設けられているため、広い範囲に温風を吹出すことができ、衣類等を効果的に乾燥させることができる。また、嵩の小さい少量の衣類の乾燥には送風機８，９のうちの一機を運転させることによって、電力消費を抑えた衣類乾燥が実施できる。
【００２６】
換気送風部１については、本体構造６を外殻構造７から水平方向に抜取って、下に降ろして低所で送風機５等のメンテナンスを行なうことができ、循環送風部２についても、本体構造１２を固定枠体１３から垂直方向に抜取って、下に降ろして低所で送風機８，９等のメンテナンスを行なうことができる。循環送風部２の本体構造１２を抜取れば、固定枠体１３は、上下の開放した角枠となるため、ここから換気送風部１のダクト接続部などのメンテナンスも可能である。換気送風部１についても循環送風部２についても本体構造６，１２の上部が組付けにより外殻構造７や固定枠体１３の一部を構成するため、外殻構造７や固定枠体１３の構造を簡素なものにすることができる。特に、ヒーター１０，１１を持つ循環送風部２については、固定枠体１３を不燃材料で構成し、本体構造１２の上面構造２９を不燃材料とすることによって、本体構造１２を被覆する不燃材料による外殻が構成できることになり、メンテナンス性を損なうことなく安全性能を向上させることができる。本体構造１２を不燃材料で構成すれば、固定枠体１３については強化プラスチックで構成することもでき、軽量化を推進することも可能である。
【００２７】
換気送風部１の本体構造６のファンベース２３は、自体に安定化のための構造を持たないため単純な平板態でよく、本体構造６の嵩も質量も小さくなりメンテナンス時の取扱いがし易い。そして、組付け状態ではチャンネル部２０により三方において上下方向及び水平方向の動きが拘束され、支持部材２１により対角状に支持されるので本体構造６の安定度は頗る高い。また、本体構造６を外殻構造７の側部のいずれの方向からも挿抜できるので、設置状態に応じてメンテナンスし易い挿抜方向に設定することができ、循環送風部２との連結形態も水平面で１８０度回転させた形態が採れるため、図８に示すように鏡面対称形態をとることの多い集合住宅に対しても一機種で対応することができる。
【００２８】
実施の形態２．
図９と図１０に示す本実施の形態は、実施の形態１で示した送風装置の吊金具４に高さ調整機能を持たせたものであり、吊金具４以外の構成は実施の形態１のものと同じである。従って、実施の形態１のものと同じ部分については実施の形態１のものと同じ符号を用い、それらについての説明は省略する。
【００２９】
この送風装置の吊金具４は、図９に示すように固定枠体１３に固着するコの字型の固定金具４０と、固定金具４０にネジ４１により連結される可動金具４２とから構成されている。固定金具４０の対向するフランジ部４３の一方にはネジ４１を挿通する挿通孔４４が設けられ、ウェブ部４５には挿通孔４４の無いフランジ部４３に向って縦に開口部４６が形成されている。可動金具４２は、柄部４７の両端に対向状にフック部４８を設けた構成で、一方のフック部４８にはアンカーボルト３を挿通するボルト挿通孔４９が、他方のフック部４８にはネジ４１をネジ嵌めできるネジ孔５０が設けられている。固定枠体１３の外側に挿通孔４４のあるフランジ部４３を下にして固着された固定金具４０に、可動金具４２が開口部４６からネジ孔５０のあるフック部４８を入れて挿通孔４４からネジ４１がネジ孔５０にネジ嵌めされている（図１０参照）。
【００３０】
この構成によりネジ４１の締め増し、緩めの操作によって可動金具４２が上下方向に動き、アンカーボルト３にこの吊金具４で吊固定した固定枠体１３の上下方向の位置を調節することができる。従って、設置時には天井板との固定枠体１３の位置調整が可能になる。ダクト３９との接続をしない循環送風部単独の構成で送風装置を構成した場合では、送風装置のメンテナンス時には天井板から少し全体を下げ、作業し易い位置にして作業することができる。
【００３１】
【発明の効果】
請求項１の発明によれば、メンテナンスがし易く、循環送風部の本体構造を低所に降ろしてメンテナンスを行なうことができ、換気送風部のメンテナンスがし易くなり、換気送風部の構成が簡素になり、その質量も嵩も小さくなりメンテナンス時の取扱いが容易になる送風装置が得られる。
【００３２】
請求項２の発明によれば、請求項１に係る前記効果とともに構成の簡素な防火性能の高い温風生成機能を持つ送風装置が得られる。
【００３３】
請求項３の発明によれば、請求項１に係る前記効果とともに防火性能の高い軽量な温風生成機能を持つ送風装置が得られる。
【００３５】
請求項４の発明によれば、請求項２又は請求項３のいずれかに係る前記効果とともに温風の片寄りを少なくすることや、温風の吹出しの絞り込みが可能になる。
【００３６】
請求項５の発明によれば、請求項２又は請求項３のいずれかに係る前記効果とともに気流を効果的に昇温でき、充電部への水の侵入によるトラブルを回避することができる。
【００３７】
請求項６の発明によれば、請求項１〜請求項５までのいずれかに係る前記効果とともに天井面との位置合わせが容易になる。
【００４０】
請求項７の発明によれば、請求項１〜請求項６までのいずれかに係る前記効果とともにモーターの突出量を少なくすることができ、狭隘な場所への対応性が増す。
【図面の簡単な説明】
【図１】  実施の形態１の送風装置を取付状態で示す正面図である。
【図２】  実施の形態１の送風装置を取付状態で示す底面図である。
【図３】  実施の形態１の送風装置の換気送風部を示す分解斜視図である。
【図４】  実施の形態１の送風装置の換気送風部を示す側面図である。
【図５】  実施の形態１の送風装置を示す分解斜視図である。
【図６】  実施の形態１の循環送風部の仮止め構造を示す部分拡大断面図である。
【図７】  実施の形態１の送風装置の風路構造部材を示す分解斜視図である。
【図８】  実施の形態１の送風装置の設置形態を示す説明図である。
【図９】  実施の形態２の送風装置の吊金具を示す分解斜視図である。
【図１０】  実施の形態２の送風装置の吊金具を示す斜視図である。
【図１１】  従来の送風装置を示す分解斜視図である。
【符号の説明】
１  換気送風部、  ２  循環送風部、  ４  吊金具、  ５  送風機、  ６  本体構造、  ７  外殻構造、  ８，９  送風機、  １０，１１  ヒーター、  １２本体構造、  １３  固定枠体、  ２０  チャンネル部、  ２１  支持部材、  ２３  ファンベース、  ２４  モーター、  ２５  ファンケーシング、  ２６  取付部品、  ３０  風路構造部材、  ３２  シール部材、  ３３  水密構造部、３４  充電部、  ４０  固定金具、  ４１  ネジ、  ４２  可動金具。
【図１】
0004282921.tif 000002
【図２】
0004282921.tif 000003
【図３】
0004282921.tif 000004
【図４】
0004282921.tif 000005
【図５】
0004282921.tif 000006
【図６】
0004282921.tif 000007
【図７】
0004282921.tif 000008
【図８】
0004282921.tif 000009
【図９】
0004282921.tif 000010
【図１０】
0004282921.tif 000011
【図１１】
0004282921.tif 000012